(57)【要約】【課題】各過電圧抑制用抵抗体ユニット間における最大電位差を小さくして小型化可能な投入抵抗部を有するガス遮断器を提供する。【解決手段】全過電圧抑制用抵抗体ユニット８ａ〜８ｆの両電気的端部３２，３３を隣り合わせることなく仮想円周上に６本の過電圧抑制用抵抗体ユニット８ａ〜８ｆを分散して配置し、円周方向で隣り合う２本の過電圧抑制用抵抗体ユニットの軸方向端部間を電気的に直列接続する隣接間接続用端部導体２２ｂ，２２ｃ，２５ａ，２５ｃと、円周方向で隣り合わないで配置した過電圧抑制用抵抗体ユニット８ｃ，８ｄの軸方向端部間を電気的に直列接続する非隣接間接続用端部導体２５ｂとを用いて電気的直列に接続した【選択図】図４
2006049108.tif 000002
【特許請求の範囲】
【請求項１】
絶縁性ガスを封入した密閉容器内に、遮断部の固定アーク接触子と可動アーク接触子に先行して開閉する固定抵抗接触子および可動抵抗接触子と、この固定抵抗接触子と可動抵抗接触子間に電気的に直列接続した複数本の柱状の過電圧抑制用抵抗体ユニットとを備えた投入抵抗部を設けたガス遮断器において、４本以上の過電圧抑制用抵抗体ユニットを仮想円上に並置し、この仮想円の円周方向で隣り合う２本の上記過電圧抑制用抵抗体ユニットの軸方向端部間を電気的に直列接続する隣接間接続用端部導体と、上記円周方向で隣り合わないで配置した上記過電圧抑制用抵抗体ユニットの軸方向端部間を電気的に直列接続する非隣接間接続用端部導体とを用いて電気的直列に接続したことを特徴とするガス遮断器。
【請求項２】
請求項１に記載のものにおいて、上記各過電圧抑制用抵抗体ユニットのうち電気的両端部に位置する２本の上記過電圧抑制用抵抗体ユニットを円周方向で隣り合わないで離散して配置し、上記円周方向で隣り合わないで配置した他の２本の過電圧抑制用抵抗体ユニットを上記仮想円のほぼ中心を通る直線上に対向配置し、その軸方向端部間を非隣接間接続用端部導体によって電気的に直列接続したことを特徴とするガス遮断器。
【請求項３】
請求項２に記載のものにおいて、上記他の２本の過電圧抑制用抵抗体ユニットを接続した非隣接間接続用端部導体を、直列接続した上記各過電圧抑制用抵抗体ユニットの電気的両端部と反対側の軸方向端部に設けると共に、上記密閉容器から電気的に絶縁する絶縁物で支持したことを特徴とするガス遮断器。
【請求項４】
請求項２に記載のものにおいて、上記電気的両端部に位置する２本の上記過電圧抑制用抵抗体ユニットを上記仮想円のほぼ中心を通る直線上に対向配置したことを特徴とするガス遮断器。
【請求項５】
請求項２に記載のものにおいて、上記非隣接間接続用端部導体を上記仮想円のほぼ中心を通る直線上に配置し、この上記非隣接間接続用端部導体とほぼ並行に上記隣接間接続用端部導体を配置し、上記非隣接間接続用端部導体と上記隣接間接続用端部導体間を絶縁物で連結し、上記非隣接間接続用端部導体を上記密閉容器から電気的に絶縁して支持する絶縁物を設けたことを特徴とするガス遮断器。
【請求項６】
請求項２に記載のものにおいて、上記可動アーク接触子および上記可動抵抗接触子の開離方向に軸方向をほぼ合致させて上記固定アーク接触子を配置し、上記電気的両端部に位置する２本の上記過電圧抑制用抵抗体ユニットを上記仮想円のほぼ中心を通り上記開離方向とほぼ平行な直線上に対向配置し、上記固定アーク接触子と電気的に接続した取り付け導体に一方の上記過電圧抑制用抵抗体ユニットの電気的端部を接続し、上記取り付け導体に絶縁物を介して上記固定抵抗接触子を取り付け、上記固定抵抗接触子に他方の上記過電圧抑制用抵抗体ユニットの電気的端部を接続したことを特徴とするガス遮断器。
【発明の詳細な説明】
【技術分野】
【０００１】
本発明はガス遮断器に係り、特に投入時に発生する過電圧を抑制する過電圧抑制用投入抵抗部を有するガス遮断器に関する。
【背景技術】
【０００２】
近年、送電電圧の高電圧化に伴い、ガス絶縁開閉装置が大容量化している。そのためガス絶縁開閉装置に用いられるガス遮断器の投入時のサージも大きなものとなっており、ガス遮断器の主接点の投入に先行して主回路に挿入する過電圧抑制用投入抵抗部を設け、この抵抗体によって投入時に発生する過電圧を抑制している。一方、電力設備の小型化、各種電力機器の輸送の簡易さ、コストダウンなどの観点から、より小型でかつ組み立ての容易な大容量ガス遮断器の必要性が高まっている。過電圧抑制用投入抵抗部は信頼性の面から過電圧抑制時に各抵抗体素子同士で絶縁破壊を起こすことが無いよう、十分な絶縁性能を必要とし、かつ遮断器動作時の衝撃や、過電発生時の電磁力に絶えられるような強固な構造とする必要があり、その配置構成が大容量遮断器の小型化を妨げる大きな要因となっている。
【０００３】
従来のこの種のガス遮断器では、過電圧抑制用投入抵抗部を２本の円柱状の過電圧抑制用抵抗体ユニットを折り返すようにつなぎあわせて構成し、主遮断部と平行させてタンク内に水平に配置しているものがある（例えば、特許文献１参照）。また抵抗体を６本の過電圧抑制用抵抗体ユニットを折り返してつなぎあわせて構成すると共に、各過電圧抑制用抵抗体ユニットを仮想円周状に分散配置したもの（例えば、特許文献２参照）や、８本の過電圧抑制用抵抗体ユニットを仮想円周上に配置し、順次隣接する抵抗体素子ユニットを電気的直列に接続したものが知られている（例えば、特許文献３参照）。
【０００４】
【特許文献１】特開平１１−２１３８２２号公報
【特許文献２】特開２００１−１１８４７７号公報
【特許文献３】特開平７−５０１２１号公報
【発明の開示】
【発明が解決しようとする課題】
【０００５】
しかしながら、従来のガス遮断器における過電圧抑制用投入抵抗部は、複数本の過電圧抑制用抵抗体ユニットを電気的直列に接続して所定の抵抗値を有するようにしているが、いずれも隣接する過電圧抑制用抵抗体ユニット同士を電気的に接続する構成であったため、全体の電気的両端部が隣接することになり、これら過電圧抑制用抵抗体ユニット間が最も電位差の大きな部分となり、同部の絶縁を確保するために各過電圧抑制用抵抗体ユニットを離して配置することによって全体として大型の過電圧抑制用投入抵抗部を有するガス遮断器となっていた。
【０００６】
本発明の目的は、各過電圧抑制用抵抗体ユニット間における最大電位差を小さくして小型化可能な投入抵抗部を有するガス遮断器を提供することにある。
【課題を解決するための手段】
【０００７】
本発明は上記目的を達成するために、絶縁性ガスを封入した密閉容器内に、遮断部の固定アーク接触子と可動アーク接触子に先行して開閉する固定抵抗接触子および可動抵抗接触子と、この固定抵抗接触子と可動抵抗接触子間に電気的に直列接続した複数本の柱状の過電圧抑制用抵抗体ユニットとを備えた投入抵抗部を設けたガス遮断器において、４本以上の過電圧抑制用抵抗体ユニットを仮想円上に並置し、この仮想円の円周方向で隣り合う２本の上記過電圧抑制用抵抗体ユニットの軸方向端部間を電気的に直列接続する隣接間接続用端部導体と、上記円周方向で隣り合わないで配置した上記過電圧抑制用抵抗体ユニットの軸方向端部間を電気的に直列接続する非隣接間接続用端部導体とを用いて電気的直列に接続したことを特徴とする。
【０００８】
請求項２に記載の本発明は、請求項１に記載のものにおいて、上記各過電圧抑制用抵抗体ユニットのうち電気的両端部に位置する２本の上記過電圧抑制用抵抗体ユニットを円周方向で隣り合わないで離散して配置し、上記円周方向で隣り合わないで配置した他の２本の過電圧抑制用抵抗体ユニットを上記仮想円のほぼ中心を通る直線上に対向配置し、その軸方向端部間を非隣接間接続用端部導体によって電気的に直列接続したことを特徴とする。
【０００９】
また請求項３に記載の本発明は、請求項２に記載のものにおいて、上記他の２本の過電圧抑制用抵抗体ユニットを接続した非隣接間接続用端部導体を、直列接続した上記各過電圧抑制用抵抗体ユニットの電気的両端部と反対側の軸方向端部に設けると共に、上記密閉容器から電気的に絶縁する絶縁物で支持したことを特徴とする。
【００１０】
さらに請求項４に記載の本発明は、請求項２に記載のものにおいて、上記電気的両端部に位置する２本の上記過電圧抑制用抵抗体ユニットを上記仮想円のほぼ中心を通る直線上に対向配置したことを特徴とする。
【００１１】
さらに請求項５に記載の本発明は、請求項２に記載のものにおいて、上記非隣接間接続用端部導体を上記仮想円のほぼ中心を通る直線上に配置し、この上記非隣接間接続用端部導体とほぼ並行に上記隣接間接続用端部導体を配置し、上記非隣接間接続用端部導体と上記隣接間接続用端部導体間を絶縁物で連結し、上記非隣接間接続用端部導体を上記密閉容器から電気的に絶縁して支持する絶縁物を設けたことを特徴とする。
【００１２】
さらに請求項６に記載の本発明は、請求項２に記載のものにおいて、上記可動アーク接触子および上記可動抵抗接触子の開離方向に軸方向をほぼ合致させて上記固定アーク接触子を配置し、上記電気的両端部に位置する２本の上記過電圧抑制用抵抗体ユニットを上記仮想円のほぼ中心を通り上記開離方向とほぼ平行な直線上に対向配置し、上記固定アーク接触子と電気的に接続した取り付け導体に一方の上記過電圧抑制用抵抗体ユニットの電気的端部を接続し、上記取り付け導体に絶縁物を介して上記固定抵抗接触子を取り付け、上記固定抵抗接触子に他方の上記過電圧抑制用抵抗体ユニットの電気的端部を接続したことを特徴とする。
【発明の効果】
【００１３】
本発明によるガス遮断器は、円周方向で隣り合わないで配置した過電圧抑制用抵抗体ユニットの端部間を電気的に直列接続する非隣接間接続用端部導体を用いて電気的直列に接続したため、従来のように単純に隣り合うものを順次接続して全過電圧抑制用抵抗体ユニットの両端部を円周方向で隣接させた場合に比べて、隣接部間での最大電位差を小さくして投入抵抗部を小型にすることができる。
【００１４】
請求項２に記載の本発明によるガス遮断器は、特に、各過電圧抑制用抵抗体ユニットのうち電気的両端部に位置する２本の上記過電圧抑制用抵抗体ユニットを円周方向で隣り合わないで離散して配置しているため、従来のような隣接配置を避けて、例えば仮想円の中心を通る直線上でほぼ対向させて隔てた配置とすることもできるようになり、両端部間に効果的な絶縁距離を確保することができる。
【００１５】
また請求項３に記載の本発明によるガス遮断器は、仮想円のほぼ中心を通る直線上に配置した非隣接間接続用端部導体を支持する絶縁物を設けているため、複数本の過電圧抑制用抵抗体ユニットを有しながらも安定した良好な支持を行うことができる。
【００１６】
さらに請求項４に記載の本発明によるガス遮断器は、電気的両端部に位置する２本の上記過電圧抑制用抵抗体ユニットを仮想円のほぼ中心を通る直線上に対向配置したため、従来の電気的両端部を隣接した配置に比べて各過電圧抑制用抵抗体ユニット間に加わる最大電位差を小さくして、投入抵抗部を小型にすることができる。
【００１７】
さらに請求項５に記載の本発明によるガス遮断器は、仮想円のほぼ中心を通る直線上に配置した非隣接間接続用端部導体を支持する絶縁物を設け、これに他の隣接間接続用端部導体を電気的に絶縁した状態で固定することが容易になり、投入抵抗部全体を簡単な構成で容易に支持固定することができる。
【００１８】
さらに請求項６に記載の本発明によるガス遮断器は、電気的両端部に位置する２本の過電圧抑制用抵抗体ユニットの配置を遮断部の開離方向に合わせて配置したため、電気的両端部の主回路導体への接続構成が簡単で容易になり、しかも、この２本の過電圧抑制用抵抗体ユニットが同開離方向にほぼ対応しているため、全体を密閉容器内に収納し分岐部内に各過電圧抑制用抵抗体ユニットを配置する場合、分岐部と各過電圧抑制用抵抗体ユニットを配置を配置した仮想円とをほぼ同心的にすることができ、分岐部の形成が容易で同部の絶縁保持が容易になる。
【発明を実施するための最良の形態】
【００１９】
以下、本発明の実施の形態を図面に基づいて説明する。
図１は、本発明の一実施の形態によるガス遮断器を示す断面図である。
絶縁性ガスを充填した密閉容器１の内部に絶縁物２ａ，２ｂを用いて密閉容器１から電気的に絶縁した状態で遮断部を支持している。この遮断部は、絶縁物２ａに支持固定した筒状導体３に一方の主回路導体４を接続すると共に、固定アーク接触子５および固定主接触子６を取り付けており、これらと対を成す可動アーク接触子１５および可動主接触子１６を絶縁物２ｂによって支持固定した筒状導体１９に可摺動的に支持し、筒状導体１９に他方の主回路導体１８を接続して構成している。可動アーク接触子１５および可動主接触子１６は、絶縁操作ロッド２０を介して図示しない操作器に連結されている。
【００２０】
筒状導体３の中心部には可動アーク接触子１５に対向した固定アーク接触子５が配置されてアーク発生部が構成され、この固定アーク接触子５を包囲するように可動主接触子１６に対向した固定主接触子６が配置されて定格電流を流す主通電部を形成している。遮断動作時には、図示しない操作器によって可動アーク接触子１５および可動主接触子１６を開離方向に駆動すると、先ず、固定主接触子６から可動主接触子１６が開離して主通電部が断たれ、その後、固定アーク接触子５から可動アーク接触子１５が開離してアークを発生するが、この遮断動作に伴っててパッファ室１７内の絶縁性ガスを圧縮して固定接触子５および可動接触子１５間に吹き付けて消弧を行う。一方、投入動作時は、固定アーク接触子５に可動アーク接触子１５が接触した後、固定主接触子６に可動主接触子１６が接触する。
【００２１】
また、固定主接触子６および可動主接触子１６のさらに外側には、上述した主通電部に先行して開閉する投入抵抗部が構成され、特に、この投入抵抗部が投入時に他よりも先行して閉路することによって投入時のサージを抑制するようにしている。より具体的には、筒票導体３に取り付け用導体７を固定し、この取り付け用導体７には詳細を後述するように電気的直列に接続した複数本の過電圧抑制用抵抗体ユニット８の全体の一端を電気的に接続し、この過電圧抑制用抵抗体ユニット８の全体の他端を取り付け用導体７に絶縁物を介して支持した固定抵抗接触子１２に電気的に接続し、一方、固定抵抗接触子１２に対向する可動抵抗接触子１３をパッファ室１７を形成するパッファシリンダ１４に固定している。過電圧抑制用抵抗体ユニット８は、密閉容器１の径方向に突出形成した分岐部１１内に収納され、分岐部１１を気密に封じた端板１０に固定した絶縁物９によって支持している。
【００２２】
図２は、この投入抵抗部の要部拡大図である。
取り付け用導体７に固定した絶縁物２１には固定抵抗接触子支持部２６が固定され、この固定抵抗接触子支持部２６に対して右方へ例えばばねによって突出させた状態で固定抵抗接触子１２が支持されている。図示の状態で固定抵抗接触子１２は可動抵抗接触子１３側に突出しているため、投入動作時は主通電部に先行して可動抵抗接触子１３が固定抵抗接触子１２に接触し、その後の動きに対してはばねを圧縮付勢しながら固定抵抗接触子１２を固定抵抗接触子支持部２６内へ移動する。しかし、遮断動作時は、固定抵抗接触子支持部２６内で付勢されたばねによる固定抵抗接触子１２の右方への動きよりも可動抵抗接触子１３の同方向への動きが早くなるよう遅延機構が施されているため、主通電部に先行して可動抵抗接触子１３が固定抵抗接触子１２から開離することになる。
【００２３】
取り付け用導体７と固定抵抗接触子支持部２６間には、４本以上の過電圧抑制用抵抗体ユニットが電気的に直列接続されて所定の抵抗値を得るようにしている。ここでは、６本の過電圧抑制用抵抗体ユニットが電気的に直列接続され、その直列接続体の両端の過電圧抑制用抵抗体ユニット８ａ，８ｆのみを図示している。各過電圧抑制用抵抗体ユニットは同一構成であるので、過電圧抑制用抵抗体ユニット８ａについて代表して説明すると、それぞれドーナツ状に形成した所定枚数の各抵抗体素子２３を積層し、それら各中心部の孔内に挿入した絶縁ロッド２４の両端をばね等で接触圧を与えながらねじ固定すると共に、この絶縁ロッド２４の両端部に端部導体２２ａと隣接間接続用端部導体２５ａをそれぞれ取り付けて構成している。
【００２４】
端部導体２２ａと隣接間接続用端部導体２５ａは、接触圧を与えるばね手段や固定用ナットなどを内部に収納すると共に、隣接する過電圧抑制用抵抗体ユニットに対する電界緩和用として望ましい形状に形成されているが、必ずしも１本の過電圧抑制用抵抗体ユニット８ａに専用の端部導体２２ａと隣接間接続用端部導体２５ａを有する構成にする必要はない。この点を、６本の過電圧抑制用抵抗体ユニットを示す斜視図である図４を用いて説明する。
【００２５】
分岐部１１内には、ほぼ同心的な仮想円周上に６本の過電圧抑制用抵抗体ユニット８ａ〜８ｆをほぼ等間隔で配置している。取り付け用導体７に全体の一方の電気的端部３３を接続した過電圧抑制用抵抗体ユニット８ａから反時計方向に、過電圧抑制用抵抗体ユニット８ｂ、過電圧抑制用抵抗体ユニット８ｃ、過電圧抑制用抵抗体ユニット８ｆ、過電圧抑制用抵抗体ユニット８ｅ、過電圧抑制用抵抗体ユニット８ｄがそれぞれ配置されている。しかし、電気的な接続順はこの配置順と全く同じではない。取り付け用導体７に電気的端部３３を接続した過電圧抑制用抵抗体ユニット８ａの軸方向下端部は、円周方向に隣接する過電圧抑制用抵抗体ユニットの端部間を接続する隣接間接続用端部導体２５ａによって過電圧抑制用抵抗体ユニット８ｂの軸方向下端部に接続されている。過電圧抑制用抵抗体ユニット８ｂの軸方向上端部は、円周方向に隣接する過電圧抑制用抵抗体ユニットの端部間を接続する隣接間接続用端部導体２２ｂによって過電圧抑制用抵抗体ユニット８ｃの軸方向上端部に接続されている。
【００２６】
一方、過電圧抑制用抵抗体ユニット８ｃの下端部は、円周方向に隣接しない過電圧抑制用抵抗体ユニットの端部間を接続する非隣接間接続用端部導体２５ｂを介して過電圧抑制用抵抗体ユニット８ｄの軸方向下端部に接続されている。ここでは、過電圧抑制用抵抗体ユニット８ｃと過電圧抑制用抵抗体ユニット８ｄは、仮想配置円のほぼ中心を通る直線上で対向した位置に設けられている。続いて、過電圧抑制用抵抗体ユニット８ｄの軸方向上端部は、円周方向に隣接する過電圧抑制用抵抗体ユニットの軸方向端部間を接続する隣接間接続用端部導体２２ｃによって過電圧抑制用抵抗体ユニット８ｅの軸方向上端部に接続されている。さらに、過電圧抑制用抵抗体ユニット８ｅの軸方向下端部は、円周方向に隣接する過電圧抑制用抵抗体ユニットの軸方向端部間を接続する隣接間接続用端部導体２５ｃを介して過電圧抑制用抵抗体ユニット８ｆの軸方向下端部に接続されており、この過電圧抑制用抵抗体ユニット８ｆの軸方向上端部に固定抵抗接触子１２に接続する他方の電気的端部３２が形成されている。
【００２７】
隣接間接続用端部導体２２ｂは、端部導体２２ａと隣接間接続用端部導体２５ａと同様に、積層した各抵抗体素子２３のための接触圧付与手段や、絶縁ロッド２４のための固定用ナットなどを内部に収納すると共に、隣接する過電圧抑制用抵抗体ユニット８ｂと過電圧抑制用抵抗体ユニット８ｃ間を電気的に接続するものであり、さらにその他の過電圧抑制用抵抗体ユニットに対する電界緩和用とされている。勿論、この電界緩和用と電気的接続用を分離して、電界緩和用端部導体内に隣接間接続用端部導体２２ｂを収納するようにしても良い。これは、その他の非隣接間接続用端部導体２５ｂや、隣接間接続用端部導体２２ｂ，２２ｃ，２５ｃについても同様である。
【００２８】
各過電圧抑制用抵抗体ユニット８ａ〜８ｆの各下端部に配置した各隣接間接続用端部導体２５ａ，２５ｃおよび非隣接間接続用端部導体２５ｂは、６本の過電圧抑制用抵抗体ユニットを示す平面図である図３に示すように、それぞれ所定の絶縁距離を隔ててほぼ並行に配置され、これら三つの端部接続導体２５ａ〜２５ｃ間を橋絡する複数本の絶縁ロッド２８，２９によって機械的に連結されている。例えば、絶縁ロッド２８，２９の軸方向中間部と両端部にはねじ部が形成され、軸方向中間部のねじ部を非隣接間接続用端部導体２５ｂに螺合させ、ナットなどで同部を抜け止めし、また両端部のねじ部を隣接間接続用端部導体２５ａ，２５ｃに螺合させ、ナットなどで同部を抜け止めしている。こうして各過電圧抑制用抵抗体ユニット８ａ〜８ｆは機械的に結合され、ほぼ中心部に位置する非隣接間接続用端部導体２５ｂの中心部３１の下部を図２に示した絶縁物９で支持固定している。
【００２９】
ここで過電圧抑制用抵抗体ユニット８ａ〜８ｆの全体における両電気的端部３２，３３間にかかる電圧をＶとすると、過電圧抑制用抵抗体ユニット８ａの軸方向上端部の端部導体２２ａと過電圧抑制用抵抗体ユニット８ｂの軸方向上端部の隣接間接続用端部導体２２ｂ間には、６本の内２本を介してＶ／３の電位差、過電圧抑制用抵抗体ユニット８ａの軸方向上端部の端部導体２２ａと過電圧抑制用抵抗体ユニット８ｄの軸方向上端部の隣接間接続用端部導体２２ｃ間には、６本の内４本を介して２Ｖ／３の電位差、過電圧抑制用抵抗体ユニット８ｅの軸方向上端部の隣接間接続用端部導体２２ｃと過電圧抑制用抵抗体ユニット８ｆの軸方向上端部の端部接続導体２７間には、Ｖ／３の電位差が発生する。また過電圧抑制用抵抗体ユニット８ａの軸方向下端部の隣接間接続用端部導体２５ａと過電圧抑制用抵抗体ユニット８ｄの軸方向下端部の非接間接続用端部導体２５ｂ間には、６本の内２本を介してＶ／３の電位差、過電圧抑制用抵抗体ユニット８ｂの軸方向下端部の隣接間接続用端部導体２５ａと過電圧抑制用抵抗体ユニット８ｃの軸方向下端部の非接間接続用端部導体２５ｂ間には、６本の内２本を介してＶ／３の電位差、同様に過電圧抑制用抵抗体ユニット８ｄの軸方向下端部の非接間接続用端部導体２５ｂと過電圧抑制用抵抗体ユニット８ｅの軸方向下端部の隣接間接続用端部導体２５ｃ間にもＶ／３の電位差が発生する。
【００３０】
このようにして全過電圧抑制用抵抗体ユニット８ａ〜８ｆの両電気的端部３２，３３を隣り合わせることなく配置することによって、各過電圧抑制用抵抗体ユニット８ａ〜８ｆの上部では隣り合う過電圧抑制用抵抗体ユニット間に発生する最大電位差を２Ｖ／３とすることができ、下部では隣り合う過電圧抑制用抵抗体ユニット間に発生する最大電位差をＶ／３とすることができ、従来のように両電気的端部３２，３３を隣接させた配置の最大電位差Ｖに比べて最大電位差を小さくして、各過電圧抑制用抵抗体ユニット８ａ〜８ｆの配置仮想円を小さくし、また分岐部１１の径を小さくすることができる。
【００３１】
以上の説明から分かるように、６本の過電圧抑制用抵抗体ユニット８ａ〜８ｆを仮想円周上に配置し、円周方向で隣り合う２本の過電圧抑制用抵抗体ユニットの軸方向端部間を電気的に直列接続する隣接間接続用端部体２２ｂ，２２ｃ，２５ａ，２５ｃと、円周方向で隣り合わないで配置した過電圧抑制用抵抗体ユニットの軸方向端部間を電気的に直列接続する非隣接間接続用端部続体２５ｂとを用いて電気的直列に接続したため、従来のように単純に隣り合う過電圧抑制用抵抗体ユニット８ａ〜８ｆの軸方向両端部を順次接続した場合に比べて、隣接部間での最大電位差を小さくして投入抵抗部を小型にすることができる。
【００３２】
特に、この実施の形態では、円周方向で隣り合わないで配置した過電圧抑制用抵抗体ユニット８ｃと過電圧抑制用抵抗体ユニット８ｄを仮想円のほぼ中心を通る直線上に対向配置し、その端部間を非隣接間接続用端部導体２５ｂによって電気的に直列接続しているため、全過電圧抑制用抵抗体ユニット８ａ〜８ｆの両電気的端部３２，３３を隣り合わせることなく仮想円の中心を通る直線上でほぼ対向させて隔てた配置とすることができ、両電気的端部３２，３３間にも効果的な絶縁距離を確保することができる。しかも、非隣接間接続用端部導体２５ｂを中心にほぼ対称形に６本の過電圧抑制用抵抗体ユニット８ａ〜８ｆを配置して構成を簡略化することができ、また仮想円の径を小さくして全体を小型に構成することができる。
【００３３】
また、この実施の形態では、円周方向で隣り合わないで配置した過電圧抑制用抵抗体ユニット８ｃと過電圧抑制用抵抗体ユニット８ｄとを仮想円のほぼ中心を通る直線上に対向配置し、過電圧抑制用抵抗体ユニット８ｃの下端部と過電圧抑制用抵抗体ユニット８ｄの軸方向下端部間を非隣接間接続用端部導体２５ｂによって電気的に直列接続しているため、この非隣接間接続用端部導体２５ｂを利用して図２に示した絶縁物９で容易に機械的に支持することができるようになる。しかも、絶縁ロッド２８，２９の使用によって各隣接間接続用端部導体２５ａ，２５ｃも非隣接間接続用端部導体２５ｂに機械的に結合できるので、絶縁物９による支持が容易になる。
【００３４】
さらに、電気的直列に接続した過電圧抑制用抵抗体ユニット８ａ〜８ｆのうち電気的な両端部に位置する両電気的端部３２，３３を有する過電圧抑制用抵抗体ユニット８ａと過電圧抑制用抵抗体ユニット８ｆを、仮想円のほぼ中心を通る他の直線上に対向配置するようにしたため、上述したように各過電圧抑制用抵抗体ユニット８ａ〜８ｆ間の最大電位差を小さくすることができ、また図２に示すように遮断部の固定アーク接触子５や固定主接触子６の近傍に絶縁物２１を用いて容易に取り付けることができる。つまり、過電圧抑制用抵抗体ユニット８ａと過電圧抑制用抵抗体ユニット８ｆを仮想円周上で隣接した場合、過電圧抑制用抵抗体ユニット８ａ〜８ｆ全体を分岐部１１の中心軸に対して偏寄することになるが、上述した構成によってこれを防止し構成を簡素化することができる。
【００３５】
図５は、本発明の他の実施の形態によるガス遮断器の要部である投入抵抗部のみを示す斜視図である。
この実施の形態における投入抵抗部は、図２に示したものとほぼ同様に構成で、４本の過電圧抑制用抵抗体ユニット３４ａ〜３４ｄから成り、これらを仮想円周上にほぼ等間隔で配置し、仮想円周上で隣り合う過電圧抑制用抵抗体ユニット３４ａの軸方向下端と過電圧抑制用抵抗体ユニット３４ｂの軸方向下端間は隣接間接続用端部導体３５ａによって電気的に接続し、仮想円周上で隣り合う過電圧抑制用抵抗体ユニット３４ｃの軸方向下端と過電圧抑制用抵抗体ユニット３４ｄの軸方向下端間は隣接間接続用端部導体３５ｂによって電気的に接続し、仮想円周上で隣り合わずに仮想円のほぼ中心を通る直線上で対向した過電圧抑制用抵抗体ユニット３４ｂの軸方向上端と過電圧抑制用抵抗体ユニット３４ｃの軸方向上端間は非隣接間接続用端部導体３６によって電気的に接続している。
【００３６】
ここで全体の過電圧抑制用抵抗体ユニット３４ａ〜３４ｄの両電気的端部３２，３３間にかかる電圧をＶとすると、過電圧抑制用抵抗体ユニット３４ａの電気的端部３２と、過電圧抑制用抵抗体ユニット３４ｂの軸方向上端部と過電圧抑制用抵抗体ユニット３４ｃの上端部間を接続する隣接間接続用端部導体２２ｂ間には、Ｖ／２の電位差が発生し、同様に、過電圧抑制用抵抗体ユニット３４ｄの電気的端部３３と、隣接間接続用端部導体２２ｂ間には、Ｖ／２の電位差が発生するだけである。従来のように仮想円周上で両電気的端部３２，３３が隣接すると、この両電気的端部３２，３３間に最大電位差Ｖが発生することになるが、両電気的端部３２，３３を有する過電圧抑制用抵抗体ユニット３４ａ，３４ｄは仮想円周上で隣接していないので、この最大電位差をＶ／２まで小さくすることができる。。
【００３７】
このようにして全過電圧抑制用抵抗体ユニット３４ａ〜３４ｄの両電気的端部３２，３３を隣り合わせることなく仮想円周上に配置することによって、各過電圧抑制用抵抗体ユニット３４ａ〜３４ｄの上下部では隣り合う過電圧抑制用抵抗体ユニット間に発生する最大電位差をＶ／２とすることができる。
【００３８】
この実施の形態においても、４本の過電圧抑制用抵抗体ユニット３４〜３４ｄを仮想円周上に配置し、円周方向で隣り合う２本の過電圧抑制用抵抗体ユニットの軸方向端部間を電気的に直列接続する隣接間接続用端部導体３５ａ，３５ｂと、円周方向で隣り合わないで配置した過電圧抑制用抵抗体ユニット３４ｂ，３４ｃの軸方向端部間を電気的に直列接続する非隣接間接続用端部導体３６とを用いて電気的直列に接続したため、従来のように単純に隣り合うものを順次接続して全過電圧抑制用抵抗体ユニットの両端部を円周方向で隣接させた場合に比べて、隣接部間での最大電位差を小さくすることができるので、配置仮想円を小さくし、投入抵抗部および分岐部１１の径を小さくすることができる。
【００３９】
図６は、本発明のさらに他の実施の形態によるガス遮断器の要部である投入抵抗部のみを示す斜視図である。
この実施の形態における投入抵抗部は、図２に示したものとほぼ同様に構成で、８本の過電圧抑制用抵抗体ユニット３７ａ〜３７ｈから成り、これらを仮想円周上にほぼ等間隔で配置している。仮想円周上で隣り合う過電圧抑制用抵抗体ユニット３７ａの軸方向下端と過電圧抑制用抵抗体ユニット３７ｂの軸方向下端間は隣接間接続用端部導体３８ａによって電気的に接続し、仮想円周上で隣り合わない過電圧抑制用抵抗体ユニット３７ｂの軸方向上端と過電圧抑制用抵抗体ユニット３７ｃの軸方向上端間は非隣接間接続用端部導体３９ａによって電気的に接続している。また、仮想円周上で隣り合わない過電圧抑制用抵抗体ユニット３７ｃの軸方向下端と過電圧抑制用抵抗体ユニット３７ｄの軸方向下端間は非隣接間接続用端部導体３９ｂによって電気的に接続し、仮想円周上で隣り合わない過電圧抑制用抵抗体ユニット３７ｄの軸方向上端と過電圧抑制用抵抗体ユニット３７ｅの軸方向上端間はほぼ仮想円の中心を通る直線上に配置した非隣接間接続用端部導体３９ｃによって電気的に接続している。
【００４０】
さらに、仮想円周上で隣り合わない過電圧抑制用抵抗体ユニット３７ｅの軸方向下端と過電圧抑制用抵抗体ユニット３７ｆの軸方向下端間は非隣接間接続用端部導体３９ｄによって電気的に接続し、仮想円周上で隣り合わない過電圧抑制用抵抗体ユニット３７ｆの軸方向上端と過電圧抑制用抵抗体ユニット３７ｇの軸方向上端間は非隣接間接続用端部導体３９ｅによって電気的に接続している。さらに、仮想円周上で隣り合う過電圧抑制用抵抗体ユニット３７ｇの軸方向下端と過電圧抑制用抵抗体ユニット３７ｈの軸方向下端間は隣接間接続用端部導体３８ｂによって電気的に接続している。
【００４１】
この実施の形態においても、８本の過電圧抑制用抵抗体ユニット３７ａ〜３７ｈを仮想円周上に配置し、円周方向で隣り合う２本の過電圧抑制用抵抗体ユニットの軸方向端部間を電気的に直列接続する隣接間接続用端部導体３８ａ，３８ｂと、円周方向で隣り合わないで配置した過電圧抑制用抵抗体ユニットの軸方向端部間を電気的に直列接続する非隣接間接続用端部接続体３９ａ〜３９ｅとを用いて電気的直列に接続したため、従来のように単純に隣り合うものを順次接続して全過電圧抑制用抵抗体ユニットの両端部を円周方向で隣接させた場合に比べて、隣接部間での最大電位差を小さくすることができるので、配置仮想円を小さくし、投入抵抗部および分岐部１１の径を小さくすることができる。図示の構成の場合は、隣接する過電圧抑制用抵抗体ユニット間では、Ｖ／４の電位差が最大電位となり、絶縁設計が容易になる。
【００４２】
また８本の過電圧抑制用抵抗体ユニット３７ａ〜３７ｈを使用する場合、図７に示すように仮想円周上に時計方向に一方の電気的端部３３を有する過電圧抑制用抵抗体ユニット３７ａ、過電圧抑制用抵抗体ユニット３７ｂ、過電圧抑制用抵抗体ユニット３７ｃ、過電圧抑制用抵抗体ユニット３７ｆ、過電圧抑制用抵抗体ユニット３７ｇ、他方の電気的端部３２を有する過電圧抑制用抵抗体ユニット３７ｈ、過電圧抑制用抵抗体ユニット３７ｅ、過電圧抑制用抵抗体ユニット３７ｄの順にほぼ等間隔で配置し、電気的な接続ではアルファベット順に接続しても良い。このとき円周方向で隣り合わないで配置した過電圧抑制用抵抗体ユニット３７ｃと過電圧抑制用抵抗体ユニット３７ｄの軸方向下端部間を非隣接間接続用端部導体３９ａで接続し、また円周方向で隣り合わないで配置した過電圧抑制用抵抗体ユニット３７ｅと過電圧抑制用抵抗体ユニット３７ｆの軸方向上端部間を非隣接間接続用端部導体３９ｂで接続し、その他の部分は円周方向で隣り合うもの同士を接続する隣接間接続用端部導体３８ａ〜３８ｅで接続する。
【００４３】
この実施の形態の場合、全体の過電圧抑制用抵抗体ユニット３７ａ〜３７ｈの両電気的端部３２，３３は、仮想円のほぼ中心を通る直線上に対向配置していないが、円周方向で隣り合う２本の過電圧抑制用抵抗体ユニットの軸方向端部間を電気的に直列接続する隣接間接続用端部導体３８ａ〜３８ｅと、円周方向で隣り合わないで配置した過電圧抑制用抵抗体ユニットの軸方向端部間を電気的に直列接続する非隣接間接続用端部導体３９ａ，３９ｂとを用いて電気的直列に接続したため、先の実施の形態の場合とほぼ同様の効果を得ることができる。
【００４４】
また６本の過電圧抑制用抵抗体ユニット８ａ〜８ｆを使用する場合でも、図８に示したように時計方向に一方の電気的端部３３を有する過電圧抑制用抵抗体ユニット８ａ、過電圧抑制用抵抗体ユニット８ｂ、過電圧抑制用抵抗体ユニット８ｅ、他方の電気的端部３２を有する過電圧抑制用抵抗体ユニット８ｆ、過電圧抑制用抵抗体ユニット８ｄ、過電圧抑制用抵抗体ユニット９ｃの順にほぼ等間隔で配置し、電気的な接続ではアルファベット順に接続しても良い。このとき円周方向で隣り合わないで配置した過電圧抑制用抵抗体ユニッ８ｂと過電圧抑制用抵抗体ユニット８ｃの軸方向上端部間を非隣接間接続用端部導体３９ａで接続し、また円周方向で隣り合わないで配置した過電圧抑制用抵抗体ユニット８ｄと過電圧抑制用抵抗体ユニット８ｅの軸方向上端部間を非隣接間接続用端部導体３９ｂで接続し、その他の部分は円周方向で隣り合うもの同士を接続する隣接間接続用端部導体３８ａ〜３８ｃで接続する。
【００４５】
この実施の形態の場合も、全体の過電圧抑制用抵抗体ユニット８ａ〜８ｆの両電気的端部３２，３３は、仮想円のほぼ中心を通る直線上に対向配置していないが、円周方向で隣り合う２本の過電圧抑制用抵抗体ユニットの端部間を電気的に直列接続する隣接間接続用端部導体３８ａ〜３８ｃと、円周方向で隣り合わないで配置した過電圧抑制用抵抗体ユニットの端部間を電気的に直列接続する非隣接間接続用端部導体３９ａ，３９ｂとを用いて電気的直列に接続したため、先の実施の形態の場合とほぼ同様の効果を得ることができる。
【００４６】
図９は、本発明のさらに他の実施の形態によるガス遮断器の要部である投入抵抗部のみを示す斜視図であり、図４に示した実施の形態との同等物には同一符号を付けて詳細な説明を省略し、相違部分についてのみ説明する。
この実施の形態は、奇数本、例えば５本の過電圧抑制用抵抗体ユニット８ａ〜８ｅを用いたもので、これらを順次直列に接続すると、５本目の過電圧抑制用抵抗体ユニット８ｅの端は下部に位置することになる。そこで、図４における過電圧抑制用抵抗体ユニット８ｆの位置に接続導体であるダミーユニット８ｇを配置し、他方の電気的端部３２が上方部に位置するようにしている。こうして奇数本の過電圧抑制用抵抗体ユニット８ａ〜８ｅを用いても、図２のように一方向に配置された固定アーク接触子５と固定抵抗接触子１２間に過電圧抑制用抵抗体ユニット８ａ〜８ｅを容易に接続することができる。
【００４７】
上述した各実施の形態から分かるように、本発明における過電圧抑制用抵抗体ユニットは４本以上であれば良く、円周方向で隣り合う２本の過電圧抑制用抵抗体ユニットの軸方向端部間を電気的に直列接続する隣接間接続用端部導体と、円周方向で隣り合わないで配置した過電圧抑制用抵抗体ユニットの軸方向端部間を電気的に直列接続する非隣接間接続用端部導体とを用いて各過電圧抑制用抵抗体ユニット間を電気的直列に接続したため、従来のように単純に隣り合うものを順次接続して全過電圧抑制用抵抗体ユニットの両電気的端部３２，３３を円周方向で隣接させた場合に比べて、隣接部間での最大電位差を小さくすることができるので、配置仮想円を小さくし、投入抵抗部および分岐部１１の径を小さくすることができる。
【００４８】
上述した各実施の形態では、図７および図８に示したものも含めて、一方の電気的端部３２を有した過電圧抑制用抵抗体ユニットと、他方の電気的端部３３を有した過電圧抑制用抵抗体ユニットとを仮想円のほぼ中心を通る直線上に対向配置している。一方、図１に示すように可動アーク接触子１５および可動抵抗接触子１３の開離方向に軸方向をほぼ合致させて固定アーク接触子５を配置している。そこで、両電気的端部３２，３３に位置する２本の過電圧抑制用抵抗体ユニットを仮想円のほぼ中心を通り開離方向とほぼ平行な直線上に対向配置し、図２に示すように固定アーク接触子５と電気的に接続した取り付け導体７に一方の過電圧抑制用抵抗体ユニットの電気的端部３３を接続し、取り付け導体７に絶縁物２１を介して固定抵抗接触子１２を取り付け、この固定抵抗接触子１２に他方の過電圧抑制用抵抗体ユニットの電気的端部３２を接続する。
【００４９】
このような配置のガス遮断器にすると、両電気的端部３２，３３を有する２本の過電圧抑制用抵抗体ユニットの配置を遮断部の開離方向に合わせて配置したため、仮想円のほぼ中心を通り開離方向とほぼ平行な直線と、取り付け導体７に絶縁物２１を介して固定抵抗接触子１２を取り付けた構成の直線とをほぼ合致させることができるようになる。従って、両電気的端部３２，３３と主回路導体の接続構成は、例えば、図４で過電圧抑制用抵抗体ユニット８ｄの位置に電気的両端部３２を有する過電圧抑制用抵抗体ユニット８ｆを配置した場合と比較して、最短距離を結ぶ導体で済むため極めて簡単な構成になる。しかも、全体を密閉容器１の径方向に形成した分岐部１１内に各過電圧抑制用抵抗体ユニットを配置する場合、分岐部１１と各過電圧抑制用抵抗体ユニットを配置を配置した仮想円とをほぼ同心的にすることができ、分岐部の形成が容易で同部の絶縁保持が容易になる。例えば、図４で過電圧抑制用抵抗体ユニット８ｄの位置に両電気的端部３２を有する過電圧抑制用抵抗体ユニット８ｆを配置した場合、両電気的端部３２，３３を結ぶ直線と仮想円の中心を通る直線が合致しないので、両電気的端部３２，３３と主回路導体の接続に複雑に湾曲した導体を必要としたり、また両直線を無理に合致させると分岐部１１に対して偏心した仮想円となり、絶縁状の問題が生じてしまう。上述の構成はこうした問題を解決して簡単な構成で、絶縁性に優れたガス遮断器を得ることができる。
【００５０】
また、上述した投入抵抗部は、図１に示したように遮断部を収納した密閉容器１の径方向に形成した分岐部１１内に収納する場合に限らず、筒状導体３の反遮断部側端部に配置しても良い。この場合、遮断時のホットガスによる絶縁低下の影響を受けないように投入抵抗部を配置したり、ホットガスの流れを規制する手段を設けると良い。さらに、仮想円周上にほぼ並行に配置する各過電圧抑制用抵抗体ユニットは、仮想円周上で必ずしも等間隔に配置する必要はなく、例えば電位差の大きな部分の間隔を他より大きくしても良い。
【産業上の利用可能性】
【００５１】
本発明は、上述した実施の形態のガス遮断器に限らず、その他の遮断部構成のガス遮断器にも適用することができる。
【図面の簡単な説明】
【００５２】
【図１】本発明の一実施の形態によるガス遮断器を示す断面図である。
【図２】図１に示したガス遮断器の要部拡大図である。
【図３】図１に示したガス遮断器における要部を断面して示す平面図である。
【図４】図１に示したガス遮断器における要部を示す斜視図である。
【図５】本発明の他の実施の形態によるガス遮断器における要部の斜視図である。
【図６】本発明のさらに他の実施の形態によるガス遮断器における要部の斜視図である。
【図７】本発明のさらに他の実施の形態によるガス遮断器における要部の平面図である。
【図８】本発明のさらに他の実施の形態によるガス遮断器における要部の平面図である。
【図９】本発明のさらに他の実施の形態によるガス遮断器における要部の斜視図である。
【符号の説明】
【００５３】
５  固定アーク接触子
６  固定主接触子
７  取り付け用導体
８ａ〜８ｆ  過電圧抑制用抵抗体ユニット
１１  分岐部
１２  固定抵抗接触子
１３  可動抵抗接触子
１５  可動アーク接触子
１６  可動主接触子
２２ａ，２７  端部導体
２２ｂ，２２ｃ  隣接間接続用端部導体
２５ａ，２５ｃ  隣接間接続用端部導体
２５ｂ  非隣接間接続用端部導体
３２，３３  電気的端部
【図１】
2006049108.tif 000003
【図２】
2006049108.tif 000004
【図３】
2006049108.tif 000005
【図４】
2006049108.tif 000006
【図５】
2006049108.tif 000007
【図６】
2006049108.tif 000008
【図７】
2006049108.tif 000009
【図８】
2006049108.tif 000010
【図９】
2006049108.tif 000011